【事件の表示】
　特願２０１６−５７２７５１「食器洗浄機洗剤フレグランス組成物」拒絶査定不服審判事件〔平成２７年１２月１７日国際公開、ＷＯ２０１５／１８９２９６、平成２９年　６月２９日国内公表、特表２０１７−５１７６１６、請求項の数（１１）〕について、次のとおり審決する。
【結　論】
　原査定を取り消す。
　本願の発明は、特許すべきものとする。
【理　由】
第１　手続の経緯
　本願は、２０１５年（平成２７年）６月１０日（パリ条約による優先権主張外国庁受理２０１４年６月１０日、欧州特許庁）を国際出願日とするものであって、主な手続の経緯は次のとおりである。
　令和元年５月１６日付け：拒絶理由通知
　　　同年８月２０日　　：手続補正書、意見書の提出
　　　同年９月１３日付け：拒絶査定
　令和２年１月２０日　　：手続補正書、審判請求書の提出
第２　拒絶査定の概要
　拒絶査定（以下、「原査定」という。）は、令和元年５月１６日付けの拒絶理由通知書に示した理由３により拒絶すべきである、というものであり、その概要は次のとおりである。
「本願請求項１〜１１に係る発明は、下記の引用文献１〜５、６に記載された発明及び周知技術等に基づいて、その発明の属する技術の分野における通常の知識を有する者（以下、「当業者」という。）が容易に発明できたものであるから、特許法第２９条第２項の規定により特許を受けることができない。
　１．特表２００１―５２４５９５号公報
　２．特表２００２−５１８５２５号公報
　３．特表平１１−５０７０９６号公報
　４．特開２００６−４５４３０号公報
　５．特開２００９−１２６８８５号公報
　６．特表２０１３−５１８００９号公報（周知技術を示す文献）」
第３　本願発明
　本願請求項１〜１１に係る発明（以下、項番号に応じて、「本願発明１」などという。）は、令和２年１月２０日付けの手続補正で補正された特許請求の範囲の請求項１〜１１に記載された事項により特定される次のとおりのものである。
「【請求項１】
　スターチカプセル化フレグランス組成物を含む、食器洗浄機洗剤組成物であって、ここでスターチカプセル化フレグランス組成物は、スターチカプセル化材料を含む水性相中にフレグランス油を分散させることにより調製され、ここでスターチカプセル化材料が、エチレンオキシドとプロピレンオキシドとのコポリマーを含む、前記食器洗浄機洗剤組成物。
　【請求項２】
　ホスファートを含まない、請求項１に記載の食器洗浄機組成物。
　【請求項３】
　スターチカプセル化フレグランス組成物が、１以上の粒子のスターチカプセル化フレグランス組成物である、請求項１または２に記載の食器洗浄機洗剤組成物。
　【請求項４】
　スターチカプセル化フレグランス組成物が、オクテニルコハク酸デンプンを含む、請求項１〜３のいずれか一項に記載の食器洗浄機洗剤組成物。
　【請求項５】
　スターチカプセル化フレグランス組成物が、マルトデキストリンを含む、請求項１〜４のいずれか一項に記載の食器洗浄機洗剤組成物。
　【請求項６】
　スターチカプセル化フレグランス組成物が、スターチカプセル化フレグランス組成物中に２５重量％未満のフレグランス成分を含み、４０００μｇ／ｌ以上の蒸気圧を有する、請求項１〜５のいずれか一項に記載の食器洗浄機洗剤組成物。
　【請求項７】
　スターチカプセル化フレグランス組成物が、１５，０００ｐｐｍ未満の水への溶解度を有するフレグランス成分を含む、請求項１〜６のいずれか一項に記載の食器洗浄機洗剤組成物。
　【請求項８】
　粒子状組成物の形態を有する、請求項１〜７のいずれか一項に記載の食器洗浄機洗剤組成物。
　【請求項９】
　単位分量または小袋形態を有する、請求項１〜８のいずれか一項に記載の食器洗浄機洗剤組成物。
　【請求項１０】
　食器洗浄機洗剤組成物が、圧搾された粒子状形態である、請求項９に記載の食器洗浄機洗剤組成物。
　【請求項１１】
　水溶性ラップに包まれた、請求項１〜１０のいずれか一項に記載の食器洗浄機洗剤組成物。」
第４　引用文献の記載、引用文献に記載された発明（引用発明）
　１　引用文献の記載
（１）引用文献１（下線は、当審が付与した。）
　引用文献１には、「洗剤タブレット」（発明の名称）について、次の記載がある。
摘記１ａ：
「【０００１】
［技術分野］
　本発明は、圧縮部分および非圧縮部分を包含する洗剤タブレットであって、非圧縮部分が香料構成成分を包含する洗剤に関する。」
摘記１ｂ：
「【０００７】
［発明の要約］
　
本発明によれば、圧縮部分および非圧縮部分を包含する洗剤タブレットであって、圧縮部分が６．３ＫＮ／ｃｍ2より大きい圧縮圧を用いて調製され、非圧縮部分が香料構成成分を包含する洗剤タブレットが提供される。
摘記１ｃ：
「【００２４】
　本発明の好ましい態様では、
非圧縮部分はゲルを包含する
　
ゲルは、香料構成成分
に、増粘系を包含する
【００２５】
　前記のように、ゲルは必要なゲルの粘性または濃度を提供するために増粘系を包含する。増粘系は、典型的には非水性液体希釈剤および有機または高分子ゲル化添加剤を包含する。
　ａ）液体希釈剤：…
【００２９】
　ｂ）ゲル化添加剤：ゲル化剤または添加剤は、増粘系を仕上げるために本発明の非水性溶媒に付加される。ゲルの適切な相安定性および許容可能な流動学のために必要なゲルを生成するためには、有機ゲル化剤は一般に、増粘系中の溶媒とゲル化剤との比が典型的には９９：１〜１：１の範囲の程度まで存在する。さらに好ましくは、比は１９：１〜４：１の範囲である。
【００３０】
　
本発明の好ましいゲル化剤は、
ソルビトール
デンプン
摘記１ｄ：
「【００４１】
　
香料構成成分
　本発明の香料構成成分は、封入香料、前香料(properfume)またはそれらの混合物を包含し得る。香料構成成分は、本発明の洗剤タブレットの非圧縮部分内に懸濁または分散される。…
【００４３】
　
封入香料とは、封入物質を包含するカプセル内に封入される香料
【００４４】
　洗剤タブレットの使用中の種々の時点で香料効果の送達を可能にする広範な種々のカプセルが存在する。
　異なる封入物質を有するこのようなカプセルの例は、薬物のマイクロカプセル封入により提供されるカプセルである。ここでは、香料は、高分子であり得る物質で完全に被覆されるカプセルコアを包含する。米国特許第4,145,184号（Brain等、1979年3月20日発行）および米国特許第4,234,627号（Schilling等、1980年11月18日発行）は、香料の拡散を本質的に阻止する頑強なコーティング物質の使用を教示する。
【００４５】
　本発明の香料中に用いられる封入物質の選択は、ある程度、使用される特定の香料および香料が放出される条件による。いくつかの香料は、他の香料より多量の防護を必要とし、したがってそれとともに用いられる封入物質が選択される。
　香りを付けた粒子の封入物質は、好ましくは水溶性または水分散性封入物質である。
　適切な水溶性コーティング斑の例としては、メチルセルロース、マルトデキストリンおよびゼラチンといった物質が挙げられるが、これらに限定されない。このようなコーティングは、１重量％〜２５重量％の粒子を包含し得る。
　特に適切な水溶性封入物質は、ＧＢ1,464,616に記載されているような多糖およびポリヒドロキシ化合物のマトリックスから成るカプセルである。…
【００４８】
　封入香料粒子は、封入物質および香料を含有する噴霧乾燥エマルションにより香料を封入マトリックスと混合することにより製造され得る。さらに、噴霧乾燥塔からの製品の粒子サイズは修正され得る。これらの修正は、特定の加工処理工程、例えば粒子サイズを拡大するための後塔塊状集積（アグロメレーション）工程（例えば流動床）および／または封入体の表面特性が改質される処理工程、例えば封入体の吸湿性を低減するための疎水性シリカによるダスティングを包含し得る。
　特に好ましい封入工程は、乳化工程とその後の噴霧乾燥および最終的にはシリカによるダスティングである。
エマルションは、以下の工程により生成される
【００４９】
　ａ）１：２の比で、
室温で水中にデンプンマトリックスを分散する
デンプンは予備ゲル化されるのが好ましい
【００５０】
　ｂ）次に、
香料油を前記の混合物に
付加した後、高剪断ミキサーを用いて混合を乳化する
【００５１】
　ｃ）スピニングディスク噴霧器を装備したコカレント（co-current）塔中で、
混合物を噴霧乾燥する。
　ｄ）その結果生じる乾燥封入物は、顆粒の表面に５％までの非封入化油を含有し得る。
流動特性を改良するために、リボンブレンダーにより２％までの疎水性シリカを封入物に任意に付加し得る
摘記１ｅ：
「【０３１１】［実施例］実施例に用いられる略語洗剤組成物において、構成成分の略語は以下の意味を有する：ＳＴＰＰ：ナトリウムトリポリホスフェートクエン酸塩：クエン酸三ナトリウム二水和物重炭酸塩：炭酸水素ナトリウムクエン酸：無水クエン酸炭酸塩：無水炭酸ナトリウムケイ酸塩：非晶質ケイ酸ナトリウム（ＳｉＯ2：Ｎａ2Ｏ比＝１．６〜３．２）ＰＢ１：無水過ホウ酸ナトリウム一水和物ＰＢ４：表示式ＮａＢＯ2・３Ｈ2Ｏ・Ｈ2Ｏ2の過ホウ酸ナトリウム四水和物
【０３１２】非イオン性：非イオン性界面活性剤Ｃ13〜Ｃ15の混合エトキシル化／プロポキシル化脂肪アルコール。平均エトキシル化度３．８、平均プロポキシル化度４．５。商品名プルラファック（BASF）。ＴＡＥＤ：テトラアセチルエチレンジアミンＨＥＤＰ：エタン１−ヒドロキシ−１，１−ジホスホン酸ＤＥＴＰＭＰ：ジエチルトリアミンペンタ（メチレン）ホスホネート。デクエスト２０６０の商品名でMonsantoから販売されている。ＰＡＡＣ：ペンタアミンアセテートコバルト（ＩＩＩ）塩パラフィン：Ｗｉｎｏｇ７０の商品名でWintershallから販売されているパラフィン油。
【０３１３】プロテアーゼ：タンパク質分解酵素アミラーゼ：デンプン分解酵素ＢＴＡ：ベンゾトリアゾールＰＡ３０：平均分子量約４,５００のポリアクリル酸硫酸塩：無水硫酸ナトリウムＰＥＧ４０００：分子量約４０００のポリエチレングリコール（Hoechst）ＰＥＧ８０００：分子量約８０００のポリエチレングリコール（Hoechst）糖：家庭用ショ糖
【０３１４】ゼラチン：ブルーム強度６５のＡ型ゼラチン（Sigma）デンプン：改質カルボキシメチルセルロース、商品名ニムセル（metcaserle）
香料封入体：３７％の改質デンプン、１１％のソルビトールおよび１％のヒュームドシリカ（Drytec C.P.）の組成で封入される香料油
【０３１５】実施例１
食器洗浄機に用いるのに適した本発明の洗剤タブレットの例
圧縮部分を調製する。
圧縮部分が型を有するタブレットを提供
実施例Ａ〜Ｆの目的のために、非圧縮部分は香料構成成分およびゲル化剤を包含する。非圧縮部分はそれから圧縮部分の型に注ぎ込まれる。次に洗剤タブレットに状態調節工程を施し、この間に非圧縮部分が硬化する
【０３１６】
【表１】
【０３１７】
【表２】
（２）引用文献２
　引用文献２には、「香料組成物」（発明の名称）について、次の記載がある。
摘記２ａ：
「【００２８】
修飾デンプン封入香料組成物の製造
【００２９】最終ＨＩＡ香料粒子の分析（すべて重量ベース％）：総香料油２４．５６％封入油２４．４６％遊離／表面油０．１０％デンプン７２．５７％水分２．８７％粒径分布＜５０μｍ１６％５０〜５００μｍ８３％＞５００μｍ１％
【００３０】修飾デンプン封入香料組成物の更に別な好ましい製法はＧＢ１，４６４，６１６で記載されており、その組成物は多糖物質の混合物からなり、これは混合物の少くとも２０重量％の量で存在して、アルコール、例えばソルビトール、植物タイプ糖、ラクトン、モノエーテルおよびアセタールから選択されるポリヒドロキシ化合物、および修飾デンプンである。そのプロセスでは、水中において、混合物がスプレー乾燥の温度で軟化するような割合で、修飾デンプンおよびポリヒドロキシ化合物の溶液を形成し、その油状物を溶解状態で乳化させ、そのエマルジョンをスプレー乾燥して、そこから水を除去する。」
摘記２ｂ：
「【００９６】
下記の洗濯およびクリーニング組成物の例で用いられる略記
  洗濯およびクリーニング組成物において、略記された成分表示は以下の意味を有している：
  洗剤組成物において、略記された成分表示は以下の意味を有している：…
ＨＩＡ１  ：香料組成物例１のデンプン封入ＨＩＡ香料粒子（５９％活性）
ＨＩＡ２  ：香料組成物例２のデンプン封入ＨＩＡ香料粒子（５９％活性）
ＨＩＡ３  ：香料組成物例３のデンプン封入ＨＩＡ香料粒子（５９％活性）
  下記処方例において、すべてのレベルは別記されないかぎり組成物の重量％として示されており、完全処方組成物中における香料組成物の配合は、（ｃａｐ）として後で記載されたような封入により、別記されないかぎりスプレーオンで行う。封入されるとき、配合は乾燥添加物として行う。ＨＩＡについて、特定された量は香料組成物または封入香料組成物によりデリバリーされる香料の量である。…
【０１１３】
【０１１４】
」
（３）引用文献３
　引用文献３には、「ブルーミング香料を含んでなるビルダー入り自動食器洗浄組成物」（発明の名称）について、次の記載がある。
摘記３ａ：第７８頁７行目〜２０行目、第８３頁例１０、第８５頁例１６
「シクロデキストリン／香料錯体
  流動性スラリーを、β−シクロデキストリン約１ｋｇと水約１リットルとを、KitchenAidTMミキサーのステンレススチール製混合ボール中でプラスチックコーティングした重質混合翼を用いて混合することによって調製する。香料約１７５ｇを徐々に添加しながら、混合を継続する。液体様スラリーは直ぐに増粘し始め、クリーム状ペーストとなる。攪拌を約３０分間継続する。次に、水約０．５リットルをペーストに加え、十分に混合する。攪拌を、更に約３０分間再開する。
　この間に、水を再度添加する前ほどではないが、錯体は再度増粘する。生成するクリーム状錯体を、トレー状に薄い層状に伸ばし、風乾する。これにより、顆粒状固形物約１．１ｋgが生成し、これを微粉末に粉砕する。シクロデキストリン／香料錯体は、洗面所ボール洗剤ブロックを作成する微粉砕および／または錠剤成型工程で香料の放出／損失なしで完全なままであるので、水分活性化カプセル封入香料として極めて好ましい。…
                                例Ｖ
                                 例VII
（４）引用文献４
　引用文献４には、「自動食器洗浄機用洗浄剤組成物」（発明の名称）について、次の記載がある。
摘記４ａ：
「【実施例】
【００５５】
（１）香料粒子の作成
  表１に示す各香料組成物を用い、各香料粒子を作成した。なお、香料粒子は次のようにして作成した。
【００５６】
  各香料組成物６５０ｇ、デキストリン（松谷化学株式会社製：パインフローＫＨ）１５６０ｇ、硫酸ナトリウム（四国化成工業株式会社製：粉砕Ａ６芒硝）５７２０ｇ、二酸化ケイ素（徳山ソーダ株式会社製：トクシールＮＲ）１８２０ｇ、食用三二酸化鉄（癸巳化成株式会社製）２．６ｇ、赤色１０６号（アイゼン保土谷株式会社製）０．９１ｇをナウターミキサー（ホソカワミクロン（株））に仕込み、ジャケット温度を７５℃にして、混合して昇温した。次に、粉体の温度が６０℃になった時点で、予め溶融させたポリエチレングリコール（花王株式会社製：ＫＰＥＧ−６０００ＬＡ）２２１０ｇと固体状態のポリエチレングリコール（花王株式会社製：ＫＰＥＧ−６０００ＬＡ）１０４０ｇを添加し、更に混合してから混合物を抜出した。この時の混合物の温度は、６６℃であった。次に、得られた混合物を押出造粒機（不二パウダル株式会社製：ペレッターダブルＥＤＸ−６０型）により孔径０．７ｍｍのスクリーンを通して押出し、圧密化した。更に、押出造粒物を冷却した後、整粒機（パワーミルで１回粉砕し、更に、コーミルにて１回粉砕）で粉砕し、ピンク色に着色した香料粒子を得た。この時、何れの香料組成物を用いた場合ともに製造設備への付着はほとんどなく、製造適性は良好であった。
【００５７】
【表１】
」
（５）引用文献５
　引用文献５には、「粒子の表面改質方法」（発明の名称）について、次の記載がある。
摘記５ａ：
「【請求項１】
　下記工程〔１〕及び〔２〕を有する粒子の表面改質方法。
工程〔１〕：少なくとも、有効成分を担持する平均粒径１００〜３０００μｍの粒子Ａ、平均粒径１０〜１００μｍの層状粘土鉱物（ｂ−１）、及び非イオン界面活性剤（ｂ−２）を接触させる工程。
工程〔２〕：工程〔１〕で得られた粒子Ｃと、平均粒径０．１〜１０μｍの微粉末Ｄとを接触させる工程。…
【請求項６】
　非イオン性界面活性剤（ｂ−２）が、以下の一般式（ＩＩ）
【化２】
（式中、Ｘ、Ｙ、及びＺは、平均付加モル数であり、Ｘ＞０、Ｚ＞０、Ｘ＋Ｙ＋Ｚ＝４〜２０を満たす。また、Ｒは炭素数８〜１８の炭化水素基、ＥＯはエチレンオキサイド基、ＰＯはプロピレンオキサイド基である。）で表されるポリオキシアルカンジイルアルキルエーテルである請求項１〜４のいずれかに記載の粒子の表面改質方法。」
摘記５ｂ：
「【００８１】［表面改質粒子］  本発明の表面改質粒子は、粒子Ａの表面に、層状粘土鉱物（ｂ−１）及び非イオン界面活性剤（ｂ−２）を含む複合体Ｂからなる複合体層、及び微粉末Ｄからなる微粉末層が順に積層してなるものである。このような表面改質粒子は、好ましくは上述した粒子の表面改質方法によって製造することができる。
  複合体層及び微粉末層は、各々粒子Ａの表面から表面改質粒子の表面側に向かって順に積層されるが、複合体層は必ずしも粒子Ａ表面の全面を覆う必要はなく、微粉末層は必ずしも複合体層の全面を覆う必要はない。すなわち、粒子Ａの表面に微粉末層が存在することもあるし、表面改質粒子の表面に複合体層が存在することもあるし、また、粒子Ａがむき出しとなった状態の箇所が存在することもある。粒子Ａ表面の全面は、複合体層または微粉末層のいずれかに覆われていることが好ましいが必須ではなく、粒子Ａ表面の３０〜１００％がいずれかの層で覆われていることが好ましく、４０〜１００％がより好ましく、５０〜１００％がさらに好ましい。」
摘記５ｃ：
「【００８８】調製例１：噴霧乾燥粒子の調製
水４１０質量部を、攪拌翼を有した１ｍ3の混合槽に加え、水温が４５℃に達した後に、硫酸ナトリウム１１０質量部、亜硫酸ナトリウム８質量部、蛍光染料２質量部を添加して、１０分間攪拌した。次いで、炭酸ナトリウム１２０質量部、４０質量％のポリアクリル酸ナトリウム水溶液１５０質量部を添加して１０分間攪拌し、さらに塩化ナトリウム４０質量部、結晶性アルミノケイ酸塩１６０質量部を添加し、１５分間攪拌してスラリー水分５０質量％の均質なスラリーを得た。このスラリーの最終温度は５０℃であった。２８５℃の窒素ガスを噴霧乾燥塔に塔下部より供給しながら、スラリーをポンプで噴霧乾燥塔（向流式）に供給し、塔頂付近に設置した圧力噴霧ノズルから噴霧圧２．５ＭＰａで噴霧を行った。窒素ガスは、塔頂から９８℃で排出された。得られた噴霧乾燥粒子１の水分は０％、平均粒径は２９０μｍ、嵩密度は５１０ｇ／Ｌ、担持能は６５ｍＬ／１００ｇ、粒子強度は３５０ｋｇ／ｃｍであった。
【００８９】調製例２：界面活性剤組成物の調製非イオン界面活性剤を８４０質量部とポリエチレングリコール６９質量部とを８０℃に加熱し、ドデシルベンゼンスルホン酸９６０質量部と４８％水酸化ナトリウム水溶液２５８質量部を添加、撹拌して界面活性剤組成物を調製した。
【００９０】調製例３：界面活性剤担持粒子（粒子Ａ）の調整レディゲミキサー（松坂技研（株）製、容量１３０Ｌ、ジャケット付）に、調整例１で調製した噴霧乾燥粒子を５０質量部投入し、主軸（攪拌翼の回転数：６０ｒｐｍ、周速：１．６ｍ／ｓ）の攪拌を開始した。ジャケットには８０℃の温水を１０Ｌ／分で流した。そこに、８０℃に昇温した調製例２で調製した界面活性剤組成物２５質量部を２分間かけて投入し、その後５分間攪拌を行って、噴霧乾燥粒子に界面活性剤組成物を担持させて、界面活性剤担持粒子（粒子Ａ）を調製した。
【００９１】実施例１：表面改質粒子１の調整
レディゲミキサー（松坂技研（株）製、容量１３０Ｌ、ジャケット付）に、調製例３で調製した界面活性剤担持粒子７５質量部を投入し、主軸（攪拌翼の回転数：６０ｒｐｍ、周速：１．６ｍ／ｓ）の攪拌を開始した。５質量部の層状粘土鉱物を投入し、５質量部の非イオン性界面活性剤をスプレー投入し、５分間攪拌を行った。次に、５質量部の結晶性アルミノケイ酸塩を投入し、主軸（回転数：１２０ｒｐｍ、周速：３．１ｍ／ｓ）とチョッパー（回転数：３６００ｒｐｍ、周速：２８ｍ／ｓ）の攪拌を３０秒間行った。レディゲミキサーの運転条件を、主軸（攪拌翼、回転数：６０ｒｐｍ、周速：１．６ｍ／ｓ）に戻し、さらに１０質量部の結晶性アルミノケイ酸塩を投入する。さらにもう一度主軸（回転数：１２０ｒｐｍ、周速：３．１ｍ／ｓ）とチョッパー（回転数：３６００ｒｐｍ、周速：２８ｍ／ｓ）の攪拌を３０秒間行った後、排出し、実施例１の表面改質粒子１を得た。得られた表面改質粒子１の組成及び評価を第１表に示す。…
【００９５】実施例５：表面改質粒子５の調整２５℃で蒸気圧０．１３３〜１３３Ｐａの成分として、リリアール、フルテート、α−ダマスコン、及びポアレートの混合物、２５℃で蒸気圧０．１３Ｐａ未満の成分として、メチル−β−ナフチルケトンを８０／２０（質量比）の割合で混合した調合香料を調製した。該調合香料、デキストリン、硫酸ナトリウム、二酸化珪素、ベンガラ、赤色２２６号を下記の配合でナウターミキサー（ホソカワミクロン（株）製）に仕込み、ジャケット温度を７５℃にして、混合して昇温した。次に、粉体の温度が６０℃になった時点で、あらかじめ溶融させたポリエチレングリコールと固体状態のポリエチレングリコールを７０／３０（質量比）の割合で２１質量部を添加し、さらに混合してから混合物を抜出した。この時の混合物の温度は、６６℃であった。次に、得られた混合物を押出造粒機（「ペレッターダブルＥＤＸ−６０型」：不二パウダル（株）製）により孔径０．７ｍｍのスクリーンを通して押出し、圧密化した。さらに、押出造粒物を冷却した後、整粒機（パワーミルで１回粉砕し、さらに、コーミルにて１回粉砕）で粉砕し、篩にかけて粒径が３５５μｍ以下の粒子を除くことで、赤色に着色した香料粒子を得た。実施例１の界面活性剤担持粒子７５質量部を、上記の香料粒子７５質量部に変更した以外は、実施例１と同様にして表面改質粒子５を得た。得られた表面改質粒子５の組成及び評価を第１表に示す。香料粒子の組成調合香料：１０質量部デキストリン（「パインフローＫＨ」：松谷化学（株）製）：１２質量部ポリエチレングリコール（「ＫＰＥＧ−６０００ＬＡ」：花王（株）製）：２１質量部硫酸ナトリウム（「粉砕芒硝Ａ６」：四国化成工業（株）製）：３８質量部硫酸ナトリウム（「粉砕芒硝Ａ１２」：四国化成工業（株）製）：５質量部二酸化珪素（「トクシールＮＲ」：徳山ソーダ（株）製）：１４質量部「ベンガラ」（三好化成工業（株））：０．０２質量部「赤色２２６号」（癸巳化成製）：０．０３質量部」
　２　引用文献１に記載された発明（引用発明）
（１）引用文献１の【０００７】（摘記１ｂ）から、引用文献１には、圧縮部分及び非圧縮部分を包含する洗剤タブレットであって、圧縮部分が６．３ＫＮ／ｃｍ2より大きい圧縮圧を用いて調製され、非圧縮部分が香料構成成分を包含する洗剤タブレットについて記載されていると認められる。
（２）洗剤タブレットの具体例である実施例Ａは、【０３１４】、【０３１５】（摘記１ｅ）から、食器洗浄機に用いるのに適した洗剤タブレットであって、非圧縮部分の香料構成成分は、表１において香料を唯一含む成分である、香料封入体（３７％の改質デンプン、１１％のソルビトール及び１％のヒュームドシリカの組成で封入される香料油）であることが理解できる。
　ここで、上記香料封入体は、【００４３】（摘記１ｄ）から、カプセル内に香料油が封入されたものであり、【００４９】〜【００５１】（摘記１ｄ）の記載から、（改質）デンプンを予備ゲル化し、室温で水中にデンプンマトリックスを分散させ、香料油を付加した後、高剪断ミキサーを用いて乳化し、噴霧乾燥して得られたものであることが理解できる。
　また、【００５１】（摘記１ｄ）から、ヒュームドシリカ（疎水性シリカ）は封入物に付加されたものであり、【００３０】（摘記１ｃ）から、ソルビトールはゲル化剤であることが理解できる。
（３）そして、【０３１５】（摘記１ｅ）から、洗剤タブレットは、まず、圧縮部分を調製し、圧縮部分が型を有するタブレットを提供し、次に、香料構成成分及びゲル化剤を包含する非圧縮部分は、圧縮部分の型に注ぎ込まれて、状態調節工程を施し、この間に非圧縮部分が硬化して得られるものであることが理解できる。
（４）そうすると、引用文献１には、洗剤タブレットについて、特に、香料構成成分に着目すると、次の発明（以下、「引用発明」という。）が記載されていると認められる。
［引用発明］
「圧縮部分及び非圧縮部分を包含する洗剤タブレットであって、圧縮部分が６．３ＫＮ／ｃｍ2より大きい圧縮圧を用いて調製され、非圧縮部分が香料構成成分を包含する洗剤タブレットであって、
　香料構成成分は、香料油が３７％の改質デンプン、１１％のソルビトール及び１％のヒュームドシリカの組成のカプセル内に封入された香料封入体であって、
　香料封入体は、改質デンプンを予備ゲル化し、室温で水中に改質デンプンマトリックスを分散させ、香料油を付加した後、高剪断ミキサーを用いて乳化し、噴霧乾燥して得られたものである、
　食器洗浄機に用いるのに適した洗剤タブレット。」
第５　対比・判断
　１　本願発明１について
（１）対比
　本願発明１と引用発明とを対比する。
　ア　引用発明の香料封入体の「３７％の改質デンプン、１１％のソルビトール及び１％のヒュームドシリカの組成のカプセル」は、改質デンプンはスターチの一種であり、改質デンプンから香料封入体のカプセルが形成されているから、本願発明１の「スターチカプセル」に相当する。
　イ　引用発明の「改質デンプン」、「香料油」及び「香料封入体」は、本願発明１の「スターチカプセル化材料」、「フレグランス」及び「スターチカプセル化フレグランス組成物」にそれぞれ相当する。
　ウ　引用発明の「改質デンプンを予備ゲル化し、室温で水中に改質デンプンマトリックスを分散させ、香料油を付加した後、高剪断ミキサーを用いて乳化」する構成について、引用発明の「水中」及び「乳化」は、本願発明１の「スターチカプセル化材料を含む水性相中にフレグランス油を分散させることにより調製され」た構成の「水性相中」及び「分散」に相当するから、引用発明の「改質デンプンを予備ゲル化し、室温で水中に改質デンプンマトリックスを分散させ、香料油を付加した後、高剪断ミキサーを用いて乳化」する構成は、本願発明１の「スターチカプセル化材料を含む水性相中にフレグランス油を分散させることにより調製」する構成に相当する。
　エ　引用発明の「食器洗浄機に用いるのに適した洗剤タブレット」は、本願発明１の「食器洗浄機洗剤組成物」に相当する。
　オ　ア〜エから、本願発明１と引用発明とは、
［一致点］
「スターチカプセル化フレグランス組成物を含む、食器洗浄機洗剤組成物であって、ここでスターチカプセル化フレグランス組成物は、スターチカプセル化材料を含む水性相中にフレグランス油を分散させることにより調製された前記食器洗浄機洗剤組成物。」である点で一致し、以下の点で相違する。
（相違点）
　「スターチカプセル化材料」について、本願発明１は「エチレンオキシドとプロピレンオキシドとのコポリマーを含む」ものであるのに対して、引用発明のカプセルは、エチレンオキシドとプロピレンオキシドとのコポリマーを含まない点。
（２）判断
　引用文献１には、引用発明の香料封入体のカプセルに、エチレンオキシドとプロピレンオキシドとのコポリマーを含ませることについては記載も示唆もない。また、当該コポリマーは非イオン性界面活性剤であり、引用発明の香料封入体のカプセルは改質デンプン等を含むものであるから、そのようなカプセルに、非イオン性界面活性剤を含ませればカプセルの特性が変化することは明らかであるところ、当該コポリマーを含ませることによって、当該カプセルがどのような特性を有するものとなるのかは当業者にとって不明としかいうほかなく、引用発明の香料封入体のカプセルに、当該コポリマーを含ませる動機付けを見いだすことができない。
　一方、本願明細書【００１８】には、「
エチレンオキシドおよびプロピレンオキシドに基づくブロックコポリマーが、
加工デンプンカプセル化材料に、圧力に対する高い耐性を与える
錠剤製造の間に粒子から著しく低減したパフューム浸出を導く
　また、同【００７６】の表２からは、スターチカプセル化材料に、エチレンオキシド及びプロピレンオキシドに基づくブロックコポリマーを含まないサンプルＡ、Ｂに対し、エチレンオキシド及びプロピレンオキシドに基づくブロックコポリマーを含むサンプルＣは、保管後に錠剤に残る総パフューム油の量が向上したことが理解できる。
　そうすると、本願明細書において、加工デンプンカプセル化材料に、圧力に対する高い耐性を与え、錠剤製造の間に粒子から著しく低減したパフューム浸出を導くという、上記相違点に係る本願発明１の発明特定事項による作用効果が実施例において確認されているといえる。
　したがって、本願発明１は、引用発明からは予測し得ない格別顕著な作用効果を奏するものであると認められる。
　なお、拒絶査定において、特に、引用文献５の実施例５が引用されているので、念のため当該実施例５について検討する。
　実施例５の表面改質粒子５は、調合香料、デキストリン、硫酸ナトリウム、二酸化硅素、ベンガラ及び赤色２２６号を混合し、さらに、ポリエチレングリコールを混合した混合物を押出造粒し、得られた押出造粒物を粉砕することで香料粒子（【００９５】）を得て、次にこの香料粒子に対して、層状粘土鉱物、非イオン性界面活性剤及び結晶性アルミノケイ酸塩を接触させること（【００９１】）で得られたものである。
　そうすると、当該表面改質粒子において、デキストリンはスターチに由来するものだとしても、香料粒子に含まれていて、香料のカプセル化のためには用いられていないから、スターチカプセル化材料ではない。
　また、非イオン性界面活性剤はデキストリンに含有されているものでもない。
　よって、引用文献５には、カプセル化材料にエチレンオキシドやプロピレンオキシドといった非イオン性界面活性剤を含ませることについては記載されていない。
　また、上記摘示した事項（第４　１（２）〜（４））から明らかなように、引用文献２〜４、６のいずれにも、カプセルにエチレンオキシドとプロピレンオキシドとのコポリマーを含ませることについては記載も示唆もされておらず、そのようなことが、本願の出願時において当業者にとって周知技術であるともいえない。
（３）まとめ
　以上のとおり、本願発明１は、当業者であっても引用発明、引用文献２〜６に記載された事項及び周知技術等に基づいて容易に発明できたものではない。
　２　本願発明２〜１１について
　本願発明２〜１１は、本願発明１を直接的又は間接的に引用し、さらに限定するものであるから、本願発明１と同様な理由から、引用発明、引用文献２〜６に記載された発明及び周知技術等に基いて、当業者が容易に発明をすることができたものではない。
第６　むすび
　以上のとおり、原査定の理由によっては、本願を拒絶することはできない。
　また、他に本願を拒絶すべき理由を発見しない。
　よって、結論のとおり審決する。